(57)【要約】【課題】  紙器印刷などの後であっても僅かの洗浄操作(少量の水の存在下)でインキローラー及びブランケットゴム上に残る紙粉、ガムを含んだインキをむらなく完全に拭き取ることができる水溶性のＵＶインキローラーとブランケットの洗浄液を得る。【解決手段】  (ａ)ベンジルアルコール、  (ｂ)グリコールエーテルアセテート及び  (ｃ)グリコールエーテルからなる紫外線硬化型インキ使用のインキローラーとブランケットの洗浄液。【選択図】    なし【特許請求の範囲】
【請求項１】
(ａ)ベンジルアルコール、
(ｂ)グリコールエーテルアセテート及び
(ｃ)グリコールエーテル
からなる紫外線硬化型インキ用の洗浄液。
【請求項２】
(ａ)ベンジルアルコール３〜２５重量％、
(ｂ)グリコールエーテルアセテート３〜２５重量％及び
(ｃ)グリコールエーテル５０〜９４重量％
からなる請求項１の洗浄液。
【請求項３】
グリコールエーテルアセテートが、プロピレングリコールモノメチルエーテルアセテート、エチレングリコールモノエチルエーテルアセテート、３−メチル−メトキシ−１−ブチルアセテート又は３−メトキシ−１−ブチルアセテートである請求項１の洗浄液。
【請求項４】
グリコールエーテルが３−メチル−３−メトキシブタノール、３−メトキシ−１−ブタノール、エチレングリコールモノメチルエーテル、エチレングリコールモノエチルエーテル、エチレングリコールモノ−ｔ−ブチルエーテル、プロピレングリコールモノメチルエーテル、ジプロピレングリコールモノメチルエーテルである請求項１の洗浄液。
【請求項５】
さらに、水を配合してなる請求項１の洗浄剤。
【請求項６】
紫外線硬化型インキを用いてオフセット印刷を行った後、使用したインキローラー及びブランケットを請求項１の洗浄剤及び水を同時にもしくは順次用いて洗浄することを特徴とする洗浄法。
【発明の詳細な説明】
【技術分野】
【０００１】
本発明は、紫外線硬化型インキを用いた印刷機のインキローラー及びブランケットに適した洗浄液に関する。
【背景技術】
【０００２】
ＵＶインキを用いたオフセット印刷、特に紙器の印刷などを行った後のインキローラー及びブランケットの洗浄には様々な問題が存在する。紙器に用いられる印刷用紙は厚紙であり、印刷終了時、インキローラー及びブランケットゴムに絡みついている紙粉、ガム量は、普通紙印刷の場合に比べて格段に多い。色替え及び版替えにあたり、インキローラーとブランケットゴムに紙粉が残留していると、新たな印刷面に汚れが生ずる。これを防止するには、紙器の印刷後の色替え、版替えに当たって紙粉の完全除去が必要である。インキローラーとブランケットゴムの洗浄にあたり、使用インキの性状に適した洗浄液を用いることは当然である。しかしながら、特色の存在などもありＵＶタイプのインキの種類は、油性(プロセス)インキを用いる一般の商業印刷に比べ非常に多岐にわたる。このようなＵＶインキに対応して各インキメーカーより洗浄液が市販されているが、自社処方のインキに対しては所定の洗浄性を有するものの、他社のＵＶインキに対しては充分な洗浄性を示さない。各インキに対する洗浄液の性能は一様ではなく、通常の洗浄ではローラーとブランケットにインキが残存するなどインキの落ちが悪く、インキローラーとブランケットゴムの洗浄作業に支障をきたしている。
【０００３】
このような事情のため、現状では異なる洗浄液を順次使用してインキローラーとブランケットゴムの洗浄を行っている。たとえば、ＵＶインキ専用とされる洗浄液でまずＵＶインキを除去し、次ぎに水で紙粉、ガムを除去する。しかしながら、ＵＶインキは共存する親水性の紙粉、ガムのため完全な除去が阻害される。一方、紙粉、ガムの除去に重点をおいた洗浄を行うと、逆にＵＶインキ成分が洗浄作用の障害となり完全な除去を妨害する。従って、結局、ＵＶインキ用洗浄液と、紙粉−ガム用の洗浄液を交互に３〜４回繰り返し用いてインキのふき取り作業を行っている。また、他の方法としては紙粉、ガムを除去するため、水性乳化型洗浄液を使用して僅かなＵＶインキ成分と共に洗い落としている。
【特許文献１】特開平９−１９４８９２号
【発明の開示】
【発明が解決しようとする課題】
【０００４】
このように広範囲のＵＶインキに対し良好な洗浄性を備えたＵＶインキ用の洗浄液は未だなく、洗浄液と水、あるいは異種の洗浄液を組み合わせて洗浄を行うきわめて煩雑な作業が行われている。
本発明の目的は、ゴムの膨潤が少なく紙器印刷などの後であっても僅かの洗浄操作(少量の水の存在下)でインキローラー及びブランケットゴム上に残る紙粉、ガムを含んだインキをむらなく完全に拭き取ることができ、臭いも気にならない水溶性のＵＶインキ用の洗浄液を提供することにある。
【課題を解決するための手段】
【０００５】
本発明は(ａ)ベンジルアルコール、(ｂ)グリコールエーテルアセテート及び(ｃ)グリコールエーテルからなる紫外線硬化型インキ用の洗浄液を提供するものである。
本発明の洗浄液は、好ましくは(ａ)ベンジルアルコール３〜２５重量％、(ｂ)グリコールエーテルアセテート３〜２５重量％及び(ｃ)グリコールエーテル５０〜９４重量％を含む。本発明の洗浄液は、更にインキ洗浄性を阻害しない範囲で水を含んでもよい。
【発明の効果】
【０００６】
本発明の洗浄液は洗浄作業の妨げにならない程度の臭いであり、インキローラーゴム及びブランケットゴムに対する膨潤が少なく、僅かな洗浄操作でインキローラーゴム或いはブランケットゴムの洗浄ができる。本発明の洗浄液は水溶性であるため、紙器などのオフセット印刷などの後であっても、インキローラーゴム或いはブランケットゴム上に残る紙粉、ガムを含むインキをすべて僅かの操作でムラなく完全に洗浄、除去することができる。
【発明の詳述】
【０００７】
本発明の洗浄液は、(ａ)ベンジルアルコール、(ｂ)グリコールエーテルアセテート及び(ｃ)グリコールエーテルからなる。本発明の各配合成分について以下に詳細に説明する。
【０００８】
(ａ)ベンジルアルコール
本発明洗浄液の第１の成分はベンジルアルコールである。ベンジルアルコールの配合によりＵＶインキに対する洗浄性が向上する。インキローラーの洗浄操作において、洗浄液中、ベンジルアルコールは最後まで残留し洗浄性に寄与することと、その適度の乾燥性により好ましい溶剤である。
かかるベンジルアルコールの配合量は前記洗浄液中３〜２５重量％、好ましくは５〜１５重量％である。配合量がこの範囲より少ないと特定のＵＶインキにしか溶けなくなる。一方、ベンジルアルコールの配合量が前記範囲より多いと、洗浄液が非水溶性となり、紙粉、ガムの除去が極端に低下する。
【０００９】
(ｂ)グリコールエーテルアセテート
本発明洗浄液の第２成分はグリコールエーテルアセテートである。グリコールエーテルアセテートは適度の乾燥性を有しＵＶインキに対する洗浄性にも優れている。
このようなグリコールエーテルアセテートとしては、
(１)    エチレングリコールモノメチルエーテルアセテート、エチレングリコールモノエチルエーテルアセテート、エチレングリコールモノブチルエーテルアセテート、エチレングリコールモノフェニルエーテルアセテート、ジエチレングリコールモノメチルエーテルアセテート、ジエチレングリコールモノエチルエーテルアセテート、ジエチレングリコールモノブチルエーテルアセテート、ジエチレングリコールモノフェニルエーテルアセテート等の
エチレングリコールモノエーテルアセテート類；
(２)    プロピレングリコールモノメチルエーテルアセテート、プロピレングリコールモノエチルエーテルアセテート、プロピレングリコールモノブチルエーテルアセテート、プロピレングリコールモノフェニルエーテルアセテート、ジプロピレングリコールモノメチルエーテルアセテート、ジプロピレングリコールモノエチルエーテルアセテート、ジプロピレングリコールモノブチルエーテルアセテート、ジプロピレングリコールモノフェニルエーテルアセテート等の
プロピレングリコールモノエーテルアセテート類；
３−メチル−３−メトキシ−１−ブチルアセテート、３−メトキシブチルアセテート等の種々の溶剤を用いることができる。これらグリコールエーテルアセテートは単独で用いてもよく複数を混合して用いてもよい。
【００１０】
グリコールエーテルアセテートの配合量は、洗浄液中、３〜２５重量％、好ましくは５〜１５重量％である。グリコールエーテルアセテートの配合量が前記範囲より少ないと洗浄効果に支障をきたす。一方、前記範囲より多いと水溶性が低下し臭気が強く環境上の問題が生じる。
【００１１】
(ｃ)グリコールエーテル
本発明洗浄液に用いる第３成分であるグリコールエーテルはＵＶインキ溶解性を有するとともに洗浄液を水溶性にする。
かかるグリコールエーテルとしては、例えば、
(１)エチレングリコールモノメチルエーテル、エチレングリコールモノエチルエーテル、エチレングリコールプロピルエーテル、エチレングリコールモノブチルエーテル等のエチレングリコールモノアルキルエーテル類；
(２)ジエチレングリコールモノメチルエーテル、ジエチレングリコールモノエチルエーテル、ジエチレングリコールプロピルエーテル、ジエチレングリコールモノブチルエーテル等のジエチレングリコールモノアルキルエーテル類；
(３)プロピレングリコールモノメチルエーテル、プロピレングリコールモノエチルエーテル、プロピレングリコールモノプロピルエーテル、プロピレングリコールモノブチルエーテル等のプロピレングリコールモノアルキルエーテル類；
(４)ジプロピレングリコールモノメチルエーテル、ジプロピレングリコールモノエチルエーテル、ジプロピレングリコールモノプロピルエーテル、ジプロピレングリコールモノブチルエーテル等のジプロピレングリコールモノアルキルエーテル類；
(５)トリプロピレングリコールモノメチルエーテル、トリプロピレングリコールモノエチルエーテル等のトリプロピレングリコールモノアルキルエーテル類；
(６)テトラエチレングリコールモノメチルエーテル、テトラエチレングリコールモノエチルエーテル等のテトラエチレングリコールエーテル類；
(７)３メチル−３メトキシ−１−ブタノール、３−メトキシ−１−ブタノール
などの溶剤が挙げられるが、好ましくは環境負荷の少ないＰＲＴＲ法及び有機則に該当しない溶媒が好ましい。これらグリコールエーテルは単独で用いてもよく複数を混合してもよい。
これらグリコールエーテルの配合量は５０〜９４重量％、好ましくは７５〜８５重量％である。グリコールエーテルの配合量が前記の範囲より少ないと、洗浄液は水溶性が低下し好ましくない。一方、配合量が前記範囲より多いと、やはりＵＶインキの溶解性に支障をきたす。
【００１２】
(ｄ)他の成分
本発明洗浄液の主要な成分としては、本発明の目的を阻害しない範囲で前記成分ａ,ｂ,ｃにさらに水を加えてもよい。洗浄液に対する水の添加量は２０重量％以下であり、好ましくは５〜１０重量％である。
本発明の洗浄液には、前記の成分のほか、本発明の目的を損ねない範囲で界面活性剤などを配合してもよい。
【００１３】
洗浄液の調製
本発明の洗浄液を調製するには、特別な操作、方法は必要とせず、前記の所定の成分を混合し、攪拌することにより容易に均一な溶液が得られる。
【００１４】
洗浄液の使用方法
本発明洗浄液は、インキローラー或いはブランケットの洗浄にあたり従来公知のＵＶインキ用洗浄液と同様に使用することができる。本発明の洗浄液は洗浄力に優れ、従来、３〜４回以上を要する洗浄を僅かな操作で素早く完了することができる。即ち、他のエマルジョンタイプの洗浄液を用いて、紙粉、ガム、インキを同時に除去しようとした場合はＵＶインキの洗浄性が悪く使い難い。また、現在、一般的な非水溶性の洗浄溶剤では洗浄の際、水を添加すると、水と分離して水玉状になり(非水溶性溶剤が邪魔をして)、紙粉、ガムが容易に除去できず洗浄回数が増加する。本発明の洗浄液は１回目の洗浄でＵＶインキのほぼすべてを除去し、また水溶性であるためインキローラー或いはブランケットの乾燥を待たずに続けて少量の水の注加により残留インキと共に紙粉、ガムを洗い落とすことができる。また、同時に洗浄液が水に置換され乾燥も速くなり、インキローラーゴム或いはブランケットゴム表面の洗浄仕上がり状態も良くなる。更に、ＵＶインキ洗浄対象物も本発明洗浄液により侵される材料でなければ特に限定されない。
【実施例】
【００１５】
つぎに本発明を実施例及び比較例により更に具体的に説明する。
［実施例１〜１０及び比較例１〜８］
下記の表１に示す組成にて各成分を混合しインキローラー及びブランケット洗浄用の洗浄液を調製した。
【００１６】
(洗浄液の評価)
各実施例及び比較例にて得られた洗浄液を用い下記の条件により洗浄効果を評価した。
第一工程    ＵＶインキの洗浄性
ＵＶインキ５ｇの入ったビーカーに試料１００ｇを入れ、攪拌子がインキの塊に接触しない状態で５分間攪拌し溶出量を測定した。
◎：１ｇ以上、○：0.5g以上１ｇ未満、△：0.1g以上0.5g未満、×：0.1g未満
第２工程  紙粉、ガムの洗浄性
トイレットペーパー１ｇを２％アラビアゴム水溶液１００ｇに溶きゴム板上に塗布、乾燥した後、試料を垂らしローラーで擦りその後水を加え紙粉の取れ具合で紙粉、ガムの洗浄性を評価した。
○：全て紙粉除去、△：一部紙粉残る、×：殆ど紙粉残る
ゴムの膨潤
１辺が約１ｃｍの立方体のゴムを洗浄液に常温２４時間浸漬し質量変化を測定した。
◎１０％未満、○１０％以上２０％未満、△２０％以上３０％未満、×３０％以上
水溶性
試料１５ｇに水を加え濁ったときの水量で評価した。
◎５０ｇ以上、○４０ｇ以上５０ｇ未満、△１５ｇ以上４０ｇ未満、×１５ｇ未満
【００１７】
【表１】
2006160894.tif 000002
【００１８】
【表２】
2006160894.tif 000003
インキＡ：ダイキュア  セプターＤＴプロセス  紅Ｎ
(大日本インキ化学工業(株)製ＵＶインキ)
インキＢ：ベストキュア  ＵＶ１６１  紅Ｓ
(Ｔ＆Ｋ  ＴＯＫＡ  ＣＯ．，ＬＴＤ製ＵＶインキ)